(57)【特許請求の範囲】
【請求項１】
長尺なシートを巻回してなるロール物を、その中心孔内面を支持することにより、回転自在に支持するようにしたロール物の支持装置であって、間隔をおいて配置され、間に、前記ロール物が上方からその径方向に沿って挿入される一対の支持部材と、これらの支持部材のそれぞれに、前記ロール物の軸方向ならびに挿入方向と略直交する方向に沿って設けられた一対の枢軸と、前記各支持部材の対向面側に、上下方向に沿って配設されるとともに、長さ方向の略中間部において前記各枢軸にそれぞれ独立して揺動自在に装着されるとともに、前記ロール物の前記各支持部材の間への挿入にともなってそれぞれの下端部が前記ロール物に接触するようにした一対の揺動部材と、これらの各揺動部材の上端部近傍に、他の揺動部材へ向けて突出させられた係止ピンと、前記各揺動部材を、これらの下端部どうしを前記ロール物の軸方向に沿って接近させる方向に付勢する一対の独立した付勢部材とを備え、前記支持部材の前記枢軸によって支持された部分の間隔が、前記ロール物の長さよりも若干大きくなるように設定してなることを特徴とするロール物の支持装置。
【請求項２】
前記両支持部材が、相互に接近離間する方向に移動可能に設けられて、両者間の間隔が調整可能となされていることを特徴とする請求項１記載のロール物の支持装置。
【発明の詳細な説明】
【技術分野】
【０００１】
本発明は、たとえば、プリンターやファクシミリ等に用いられる記録紙、あるいは、ロール状に巻回される台紙上に貼付されているラベルやシールといったロール物を支持するようにした支持装置に関するものである。
【背景技術】
【０００２】
従来、この種のロール物の支持装置は、ロール物の中心に伸縮可能な支持軸を挿通し、この支持軸を縮めた状態でロール物とともに支持部材間に挿入した後に、前記支持軸を伸ばして、その両端部を前記両支持部材に係合させることにより、前記支持軸を介してロール物を支持部材間に回転自在に装着するようにしている。また、一対の支持部材の一つを基体等に固定しておくとともに、この固定された支持部材に支持軸を一体に設けておき、この支持軸にロール物を装着した後に、他の支持部材を前記支持軸の他端部に取り付けるとともに、前記基体等に固定することによって、両支持部材間にロール物を回転自在に装着する構成も知られている。
【０００３】
【特許文献１】実開昭６３−３５７５０号公報
【発明の開示】
【発明が解決しようとする課題】
【０００４】
しかしながら、前者の支持装置にあっては、支持軸を縮めた状態に保持しつつ支持部材間に挿入して、さらに、前記支持軸と両支持部材との位置決めを行った後に支持軸を伸ばす操作を行わなければならないことから、着脱操作が煩雑なものとなり、かつ、着脱操作に両手を用いる必要があることと相俟って、その操作を一層煩雑にしているといった問題点を有している。また、後者の支持装置にあっても、一つの支持部材を着脱する必要があることから、前者と同様の問題点を有している。
【０００５】
本発明は、このような従来の問題点に鑑みてなされたもので、ロール物の着脱を、片手の操作によって簡便に行い得るロール物の支持装置を提供することを目的とする。
【課題を解決するための手段】
【０００６】
本発明の請求項１に記載のロール物の支持装置は、前述した目的を達成するために、長尺なシートを巻回してなるロール物を、その中心孔内面を支持することにより、回転自在に支持するようにしたロール物の支持装置であって、間隔をおいて配置され、間に、前記ロール物が上方からその径方向に沿って挿入される一対の支持部材と、これらの支持部材のそれぞれに、前記ロール物の軸方向ならびに挿入方向と略直交する方向に沿って設けられた一対の枢軸と、前記各支持部材の対向面側に、上下方向に沿って配設されるとともに、長さ方向の略中間部において前記各枢軸にそれぞれ独立して揺動自在に装着されるとともに、前記ロール物の前記各支持部材の間への挿入にともなってそれぞれの下端部が前記ロール物に接触するようにした一対の揺動部材と、これらの各揺動部材の上端部近傍に、他の揺動部材へ向けて突出させられた係止ピンと、前記各揺動部材を、これらの下端部どうしを前記ロール物の軸方向に沿って接近させる方向に付勢する一対の独立した付勢部材とを備え、前記支持部材の前記枢軸によって支持された部分の間隔が、前記ロール物の長さよりも若干大きくなるように設定してなることを特徴とするものである。
また、本発明の請求項２に記載のロール物の支持装置は、請求項１に記載の前記両支持部材が、相互に接近離間する方向に移動可能に設けられて、両者間の間隔が調整可能となされていることを特徴とするものである。
【発明の効果】
【０００７】
本発明の請求項１および請求項２の何れかに記載のロール物の支持装置によれば、支持装置に対してロール物をその径方向に挿入および引き出すといった単純な操作によって、このロール物の着脱を行うことができるとともに、その操作を片手で行うことができるから、その着脱操作を簡便なものとすることができる。
【０００８】
特に、請求項２に記載の発明のように、前記両支持部材を、相互に接近離間する方向に移動可能にとしたことにより、両者間の間隔を調整可能として、種々の長さのロール物の支持を可能にする。
【発明を実施するための最良の形態】
【０００９】
本発明は、ロール物の着脱操作を簡便なものとすることができるロール物の支持装置を実現した。
【実施例】
【００１０】
以下、本発明の第１の実施例について、図１ないし図４を参照して説明する。本実施例は、ラベルプリンタ等の印字装置に適用した例について示したものであり、図１において符号１は、前記ラベルプリンタを示す。
【００１１】
このラベルプリンタ１は、基体２と、この基体２の上面一端部側に設けられたサーマルヘッド等の印字ヘッド３と、他端部側に設けられた本実施例に係わるロール物の支持装置４とによって構成されている。
【００１２】
前記ロール物Ｒは、本実施例においては長尺な記録紙Ｗを巻回したものであり、この記録紙Ｗは、前記支持装置４に支持されているロール物Ｒから引き出されて、前記印字ヘッド３へ送り込まれるようになっている。
【００１３】
そして、本実施例に係わる支持装置４は、前記基体２に形成され上方に開口されたロール物収納凹部５内に設置されており、このロール物収納凹部５の底部に、記録紙Ｗの引き出し方向と直交する方向に間隔をおいて配置され、間に、前記ロール物が上方からその径方向に沿って挿入される一対の支持部材６と、これらの支持部材６のそれぞれに、前記ロール物Ｒの軸方向ならびに挿入方向と略直交する方向に沿って設けられた一対の枢軸７と、前記各支持部材６の対向面側に、上下方向に沿って配設されるとともに、長さ方向の略中間部において前記各枢軸７に揺動自在に装着された一対の揺動部材８と、これらの各揺動部材８の上端部近傍に、他の揺動部材８へ向けて突出させられた係止ピン９と、前記各揺動部材８を、これらの下端部どうしを接近させる方向に付勢する付勢部材１０（図２および図３参照）とを備え、前記支持部材６の前記枢軸７によって支持された部分の間隔が、前記ロール物Ｒの長さよりも若干大きくなるように設定された基本構成となっている。
【００１４】
ついで、これらの詳細について説明すれば、前記両支持部材６の上端部は、上方に行くにしたがい漸次相互に離間するように傾斜させられたガイド面６ａとなされ、また、中央部には、前記揺動部材８が収納される貫通孔６ｂが、厚さ方向に貫通して形成され、この貫通孔６ｂの上下方向に沿った一対の内壁面間に前記枢軸７が掛け渡されている。
【００１５】
また、前記両支持部材６の下端には、図１および図２に示すように、ロール物Ｒの長さ方向に沿った摺動部材１１が一体に設けられており、この摺動部材１１が、前記ロール物収納凹部５の底面に形成された一対のガイド溝１２のそれぞれに摺動自在に嵌合させられるようになっている。そして、これらのガイド溝１２は、ロール物Ｒの長さ方向に沿って所定長さに形成されており、これらのガイド溝１２に前記各摺動部材１１が嵌合させられることによって、前記各支持部材６が平行状態を保持するようになされ、かつ、各摺動部材１１がこれらのガイド溝１２に沿って摺動させられることにより、前記両支持部材６が、平行状態を保持しつつ相互に接近離間する方向に相対移動可能な構成となされている。
【００１６】
前記揺動部材８は、前述したように各支持部材６に形成された貫通孔６ｂ内に枢軸７を介して装着されており、ロール物Ｒが挿入されていない状態において、付勢部材１０によって下端部が付勢されて、前記枢軸７を中心として揺動させられた際に、図２に示すように、下端部が支持部材６の内面よりも内側へ突出させられ、かつ、上端の設けられている係止ピン９の先端が、前記貫通孔６ｂの内側に位置させられるようになされている。また、ロール物Ｒが挿入された状態においては、ロール物Ｒの両端部によって、前記揺動部材８の下端部が貫通孔６ｂ内へ押し込まれることにより、揺動部材８の上端部に設けられている係止ピン９が、図１および図３に示すように、貫通孔６ｂから突出させられるようになされている。
【００１７】
さらに、前記各支持部材６には、図１に示すように、ラック１３がロール物収納凹部５の底面に沿って設けられており、これらのラック１３は、その先端部分が常時間隔をおいて重畳させられており、この重畳部分に、両ラック１３に噛合させられるピニオン１４が配設されている。このピニオン１４は、前記ロール物収納凹部５の底面に、軸１５を介して回転自在に装着されており、これによって、一方の支持部材６が任意の方向に摺動させられた際に、他の支持部材６が、一方の支持部材６の摺動方向と逆方向に摺動させられるとともに、一方の支持部材６の摺動量と等しい距離摺動させられるようになっている。
【００１８】
また、本実施例においては、前記支持部材６の一つに、この支持部材６を、前述したガイド溝１２に沿った任意の位置に係止するための係止機構１５が設けられている。この係止機構１５は、図１に示すように、前記ロール物収納凹部５の内壁面で、前記支持部材６の側面に対向させられる位置に、前記ガイド溝１２と平行に形成された鋸刃状の多数の係止溝１６と、前記支持部材６の、前記係止溝１６に対向する部分に装着されて、この係止溝１６に係脱させられるストッパ１７とによって構成されている。
【００１９】
そして、このストッパ１７は、その一部が、図１および図４に示すように、前記支持部材６の側部から突出させられているとともに、突出方向へ向けて漸次狭まるようにテーパが設けられて、このテーバ部分において前記係止溝１６へ係合させられることにより、前記支持部材６の摺動を拘束するようになっている。また、前記ストッパ１７は、図４に示すように、前記支持部材６に上下方向に摺動可能に装着された操作ロッド１８の下端部に一体に取り付けられている。そして、この操作ロッド１８の上端部は、前記支持部材６の上端部から常時突出する長さに形成されている。
【００２０】
したがって、前記操作ロッド１８の上端部を把持して上方へ引き上げることにより、前記ストッパ１７が係止溝１６から引き抜かれ、これによって、支持部材６の摺動が許容され、また、支持部材６を所定位置まで摺動させた後に、操作ロッド１８を下降させて前記ストッパ１７を係止溝１６の一つに係合させることによって、支持部材６の摺動が拘束される。ここで、一方の支持部材６の摺動を拘束すると、この一方の支持部材６に対して、他方の支持部材６が、一対のラック１３と、これらに噛合されたピニオン１４とによって連結されていることにより、他方の支持部材６の摺動も併せて拘束される。
【００２１】
ついで、このように構成された本実施例の作用について説明する。まず、図４中に鎖線で示すように、操作ロッド１８を引き上げてストッパ１７と係止溝１６との係合状態を解除した後に、支持部材６を摺動させて、これらの間隔を、装着すべきロール物Ｒの長さに合わせる。このとき、両支持部材６は、一対のラック１３とピニオン１４の作用によって、各支持部材６の摺動量が等しくかつ摺動方向が逆方向となされる。これによって、両支持部材６間の中心位置が一定に保持された状態で前記間隔が調整され、したがって、これらの両支持部材６間に装着されるロール物Ｒの長さ方向の中心と印字ヘッド３の中心とが常に一定に保持される。
【００２２】
このようにして支持部材６の位置合わせを行った後に、操作ロッド１８を再度操作して、この操作ロッド１８を下降させることにより、その下端部に設けられているストッパ１７を係止溝１６の一つに係合させることにより、前記両支持部材６を、前述した位置に固定する。この状態において、各支持部材６に取り付けられている揺動部材８は、図２に示すように、それぞれの下端部が付勢部材１０によって内側へ向けて付勢されていることにより、各下端部が、両支持部材６間に突出させられ、また、各揺動部材８の上端部に設けられた係止ピン９の先端部が、各支持部材６の貫通孔６ｂ内に位置させられている。
【００２３】
これより、ロール物Ｒを、図２に鎖線で示すように、両支持部材６間にその上方から挿入すると、ロール物Ｒの下端が枢軸７の部分に到達するまで、前記揺動部材８は、前述した姿勢に保持される。
【００２４】
そして、ロール物Ｒをさらに下降させると、この下降に伴って、ロール物Ｒの下端部が、各揺動部材８に当接し、これらの揺動部材８を相互に離間させるように揺動させるとともに、このような揺動動作によって、各揺動部材８の上端部に設けられた係止ピン９が、貫通孔６ｂから徐々に支持部材６間に突出させられるとともに、下降させられているロール物Ｒの中心孔内へ徐々に挿入され、さらなるロール物Ｒの下降によって、前記係止ピン９が、図３に示すように、ロール物Ｒの内周面にその上端において当接させられる。これによって、前記ロール物Ｒが両係止ピン９によって吊り下げられるようにして保持されることにより、ロール物Ｒの支持がなされる。
【００２５】
一方、前記ロール物Ｒを取り外す場合には、前述した装着手順と逆の手順によって、ロール物Ｒを上方へ引き上げる操作を行えばよい。このようにロール物Ｒを上方へ引き上げると、各揺動部材８が、付勢部材１０によってその下端部が相互に接近するように揺動させられるとともに、前記係止ピン９がロール物Ｒから引き抜かれる方向に移動させられ、ロール物Ｒの下端部が枢軸７を通過した時点で、図２に示すように、前記両係止ピン９がロール物Ｒから完全に引き抜かれる。したがって、図２に示す状態において、ロール物Ｒと支持装置４との間に干渉する部分がなくなり、ロール物Ｒの引き抜きが円滑に行われる。
【００２６】
このように、本実施例に係わるロール物Ｒの支持装置４によれば、ロール物Ｒの挿入および引き抜きといった操作によってロール物Ｒの着脱を行うことができ、かつ、その操作も、ロール物Ｒを片手で上下させることによって行うことができるので、その操作がきわめて簡便なものとなる。
【００２７】
ついで、図５ないし図７を参照して、本発明の第２の実施例について説明する。本実施例においては、揺動部材の機能に変更を加えたものである。すなわち、図５に符号２０で示す各揺動部材は、前記枢軸７が嵌合させられる部分に、揺動部材２０の長さ方向に沿った長穴２０ａが形成されており、この長穴２０ａの長さ分、前記揺動部材２０がその長さ方向（図５における上下方向）に摺動可能となされている。また、各揺動部材２０の下端には、下方へ向かう係合突起２１が設けられ、かつ、前記支持部材６の、貫通孔６ｂの下面に、前記揺動部材２０の下方への摺動によって前記係合突起２１が係脱させられる係止孔２２が設けられている。
【００２８】
このように構成された本実施例に係わる支持装置４においては、ロール物Ｒが装着されていない状態にあっては、図５に示すように、各揺動部材２０が上方に摺動されて係合突起２１と係止孔２２との係合が解除されていることにより、各揺動部材２０が、付勢部材１０によって揺動させられて、各係止ピン９が各支持部材６の貫通孔６ｂ内に収納された状態に保持されている。
【００２９】
これより、ロール物Ｒを両支持部材６間に上方から挿入すると、このロール物Ｒの下端が、前記両揺動部材２０の、前記枢軸７との嵌合位置を通過した時点で、これらの揺動部材２０に接触させられ、これらの揺動部材２０を、その下端部が相互に離間する方向に揺動させる。さらに、ロール物Ｒの下降を継続すると、前記両揺動部材２０が、図６に示すように、略平行となる位置まで揺動させられるが、この状態において、両揺動部材２０の下端部近傍が、ロール物Ｒの下端部に、前記付勢部材１０の付勢力によって弾性的に当接させられている。そして、さらにロール物Ｒを下降させると、このロール物Ｒの内面上端部が各係止ピン９へ当接させられることにより、前記両揺動部材２０が下降させられるとともに、両揺動部材２０の下端部に設けられている係合突起２１が、図７に示すように、支持部材６に形成されている係止孔２２へ係合させられる。
【００３０】
これによって、前記各揺動部材２０の付勢部材１０による揺動が拘束される。そして、ロール物Ｒからの記録紙Ｗの引き出しに伴って、前記ロール物Ｒの外径が減少させられることにより、このロール物Ｒの下端部が、前記両揺動部材２０から離間するように変位するが、前述したように、前記両揺動部材２０の揺動が拘束されていることから、徐々に、前記ロール物Ｒと両揺動部材２０との間の摩擦力が軽減される。この結果、ロール物Ｒからの記録紙Ｗの引き出し力が軽減されて、円滑な引き出し操作が確保される。
【００３１】
一方、前記ロール物Ｒを引き抜くために、このロール物Ｒを上方へ移動させると、このロール物Ｒの内周面の下端部が前記係止ピン９に当接させられ、さらに、ロール物Ｒを引き上げることにより、両揺動部材２０が上昇させられ、その下端部の係合突起２１と係止孔２２との係合が解除されるとともに、両揺動部材２０が付勢部材１０の付勢力によって揺動させられることにより、図５に示すような初期状態に復帰させられる。この状態において、前記両係止ピン９が支持部材６の貫通孔６ｂ内に収納されることから、ロール物Ｒの抜き取り方向において、このロール物Ｒと支持装置４との間に干渉する部分がなく、したがって、前記ロール物Ｒの抜き取りが円滑に行われる。
【００３２】
したがって、本実施例においても、前述した実施例における作用効果を同様に得ることができる。
【００３３】
なお、前記各実施例において示した各構成部材の諸形状や寸法等は一例であって、設計要求等に基づき種々変更可能である。
【図面の簡単な説明】
【００３４】
【図１】本発明の一実施例が適用されたラベルプリンタの平面図である。
【図２】ロール物の挿入前の状態を示すもので、図１のＩＩ−ＩＩ線断面図である。
【図３】ロール物の挿入後の状態を示す図２と同様の図である。
【図４】図１のＩＶ−ＩＶ線に沿う拡大断面図である。
【図５】本発明の第２の実施例を示す図２と同様の図である。
【図６】同上、係合突起と係止孔との係脱を示す図である。
【図７】同上、図３と同様の図である。
【符号の説明】
【００３５】
１  ラベルプリンタ
２  基体
３  印字ヘッド
４  支持装置
５  ロール物収納凹部
６  支持部材
６ａ  ガイド面
６ｂ  貫通孔
７  枢軸
８  揺動部材
９  係止ピン
１０  付勢部材
１１  摺動部材
１２  ガイド溝
１３  ラック
１４  ピニオン
１５  係止機構
１６  係止溝
１７  ストッパ
１８  操作ロッド
２０  揺動部材
２０ａ  長穴
２１  係合突起
２２  係止孔
Ｒ  ロール物
Ｗ  記録紙
【図１】
0004633154.tif 000002
【図２】
0004633154.tif 000003
【図３】
0004633154.tif 000004
【図４】
0004633154.tif 000005
【図５】
0004633154.tif 000006
【図６】
0004633154.tif 000007
【図７】
0004633154.tif 000008